(57)【要約】【課題】足全体に適切なフィット感やホールド感を与えるブーツの締め付け構造を提供する。【解決手段】ブーツ本体と、ブーツ本体の上羽根部を締め付ける第一の紐と、ブーツ本体の下羽根部を締め付ける第二の紐と、上下の羽根部と着用者の足との間に設けられたタング部と、を備えるブーツにおいて、第一の紐及び第二の紐をまとめる境界紐結束部を、タング部の表側中央であって、上羽根部と下羽根部との境界部分に備えるとともに、第一の紐及び第二の紐をロック固定する紐ロックを、タング部の表側上部中央に備えていて、下羽根部の上端を始端として蛇行しながら紐通しされた第一の紐及び上羽根部の下端を始端として蛇行しながら紐通しされた第二の紐をそれぞれ境界紐結束部でまとめたあと、第一の紐及び第二の紐を引き上げながら紐ロックに装着して、第一の紐及び第二の紐を紐ロックでロック固定する。【選択図】図２
2007215845.tif 000002
【特許請求の範囲】
【請求項１】
ブーツ本体と、
ブーツ本体の上羽根部を締め付ける第一の紐と、
ブーツ本体の下羽根部を締め付ける第二の紐と、
前記上下の羽根部と着用者の足との間に設けられたタング部と、を備えるブーツにおいて、
第一の紐及び第二の紐をまとめる境界紐結束部を、前記タング部の表側中央であって、上羽根部と下羽根部との境界部分に備えるとともに、
第一の紐及び第二の紐をロック固定する紐ロックを、前記タング部の表側上部中央に備えていて、
下羽根部の上端を始端として蛇行しながら紐通しされた第一の紐及び上羽根部の下端を始端として蛇行しながら紐通しされた第二の紐をそれぞれ境界紐結束部でまとめたあと、第一の紐及び第二の紐を引き上げながら紐ロックに装着して、第一の紐及び第二の紐を紐ロックでロック固定することを特徴とするブーツの締め付け構造。
【請求項２】
紐ロックに装填した第一の紐及び第二の紐を、同じ方向に寄せて紐ロックでロック固定することを特徴とする、請求項１記載のブーツの締め付け構造。
【請求項３】
前記タング部はタング部本体とタング部本体の前方に位置する前方部材とから構成されて、
前記境界紐結束部は、前方部材に設けられて前方部材の厚み方向に延在する挿通穴を有する一対の鳩目であることを特徴とする、請求項１記載のブーツの締め付け構造。
【請求項４】
前記境界紐結束部は、タング部の表側に設けられてタング部の厚み直交方向に延在する挿通穴を有する紐ガイドであることを特徴とする、請求項１記載のブーツの締め付け構造。
【請求項５】
第一の紐及び第二の紐はそれぞれの終端部において取っ手を備えていることを特徴とする、請求項１記載のブーツの締め付け構造。
【請求項６】
タング部本体と前方部材との間には、高反発部材が介装されていることを特徴とする、請求項３記載のブーツの締め付け構造。
【発明の詳細な説明】
【技術分野】
【０００１】
本発明は、ブーツの二つの領域を独立して締め付けるための締め付け構造に関し、詳細には、スノーボード用ブーツや登山靴等のタング付き靴物品においてつま先から脛に延在する羽根部の下領域及び上領域を独立して締め付けるための締め付け構造に関し、より好適には、より微妙なフィット感及び締め付け感が要求されるスノーボード用ブーツに使用される締め付け構造に関する。
【背景技術】
【０００２】
下領域及び上領域という二つの独立したゾーンを紐通した二つの紐を引っ張ることで、ブーツを締め付ける技術が開示されている（例えば、特許文献１参照。）。
【０００３】
【特許文献１】実用新案登録第３１１５７７３号公報
【０００４】
特許文献１に開示されたブーツは、ブーツ本体と、ブーツ本体の羽根部の上領域を締め付ける第一の紐と、ブーツ本体の羽根部の下領域を締め付ける第二の紐とを備えて、ブーツ本体の上領域の左右の側面にそれぞれ設けられた紐ロックに第一の紐及び第二の紐を挿通して紐をロックすることによってブーツの締め付けを行うというものである。
【０００５】
ブーツは、通常、足の甲部分に対応するブーツ本体の甲革の上部分において、ブーツ本体が左右二つに分かれた羽根部を有している。そして、甲革の羽根部と着用者の足との間には、タング部（又はベロ部）と呼ばれる部材が設けられている。
【０００６】
特許文献１に開示されたブーツでは、左右の羽根部に紐ロックがそれぞれ設けられているために、締め付ける対象が左右の羽根部だけとなっている。すなわち、タング部が締め付け対象となっていない。その結果、足の左右の横方向には紐の締め付け力が働くが、足の前後方向には紐の締め付け力が働かない。
【０００７】
したがって、特許文献１に開示されたブーツでは、適切なフィット感やホールド感が得られないという問題を有している。
【発明の開示】
【発明が解決しようとする課題】
【０００８】
したがって、本発明の解決すべき技術的課題は、足全体に適切なフィット感やホールド感を与えるブーツの締め付け構造を提供することである。
【課題を解決するための手段及びその作用・効果】
【０００９】
上述の技術的課題を解決するために、本発明に係るブーツの締め付け構造は、以下の特徴を有する。
【００１０】
すなわち、本発明に係るブーツの締め付け構造は、ブーツ本体と、ブーツ本体の上羽根部を締め付ける第一の紐と、ブーツ本体の下羽根部を締め付ける第二の紐と、前記上下の羽根部と着用者の足との間に設けられたタング部と、を備えるブーツにおいて、第一の紐及び第二の紐をまとめる境界紐結束部を、前記タング部の表側中央であって、上羽根部と下羽根部との境界部分に備えるとともに、第一の紐及び第二の紐をロック固定する紐ロックを、前記タング部の表側上部中央に備えていて、上羽根部の上端を始端として蛇行しながら紐通しされた第一の紐及び下羽根部の下端を始端として蛇行しながら紐通しされた第二の紐をそれぞれ境界紐結束部でまとめたあと、第一の紐及び第二の紐を引き上げながら紐ロックに装着して、第一の紐及び第二の紐を紐ロックでロック固定することを特徴とする。
【００１１】
上記締め付け構造によれば、上羽根部及び下羽根部をそれぞれ締め付けた第一の紐及び第二の紐は、境界紐結束部でまとめたあと、タング部の表側上部中央に設けられた紐ロックでロック固定される。したがって、本発明に係る締め付け構造は、第一の紐及び第二の紐がブーツ本体の上羽根部及び下羽根部に加えてタング部も締め付けるという三箇所締め付け構造となっているので、前後左右の締め付け力が足に作用して足全体に適切なフィット感やホールド感を提供することができる。
【００１２】
紐ロックに装填した第一の紐及び第二の紐を、左右に分けて紐ロックでロック固定することも可能であるが、同じ方向に寄せて紐ロックでロック固定することもできる。第一の紐及び第二の紐を左右のいずれか一方の同じ方向に寄せることによって、紐のロック操作を片手で行うことができ、使用者の利便性が向上する。
【００１３】
境界紐結束部でまとめられた第一の紐及び第二の紐は、タング部がタング部本体とタング部本体の前方に位置する前方部材とから構成されて、境界紐結束部が、前方部材に設けられて前方部材の厚み方向に延在する挿通穴を有する一対の鳩目に挿通することによって、タング部の表側上部中央に設けられた紐ロックに向けて方向転換される。
【００１４】
あるいは、境界紐結束部でまとめられた第一の紐及び第二の紐は、境界紐結束部がタング部の表側に設けられてタング部の厚み直交方向に延在する挿通穴を有する紐ガイドに挿通することによって、タング部の表側上部中央に設けられた紐ロックに向けて方向転換される。
【００１５】
紐を不自由なく引っ張ることができるように、第一の紐及び第二の紐はそれぞれの終端部において取っ手を備えていることが好ましい。
【００１６】
タング部がタング部本体とタング部本体の前方に位置する前方部材とから構成されている場合、両者の隙間を埋めてレスポンス性を向上させるために、タング部本体と前方部材との間には、高反発部材が介装されているようにすることもできる。
【発明を実施するための最良の形態】
【００１７】
以下に、本発明に係る第一実施形態について、図１及び２を参照しながら詳細に説明する。
【００１８】
図１に示すように、ソフトタイプのスノーボード用ブーツ１は、アウターブーツ２０とその内部に装着されるインナーブーツ（不図示）とを備えている。ソフトタイプのアウターブーツ２０のシェルは、合成ゴムや合成皮革やナイロンやポリエステル繊維等の柔軟な素材と多少硬めの芯材とから構成されている。インナーブーツは様々なプレイヤーの足の形状に適合するように上記素材に加え、各種発泡系素材で構成されている。
【００１９】
アウターブーツ２０は、前方の開口部によって左右に拡開される左羽根部２２及び右羽根部２４と、開口部の後方に位置して左羽根部及び右羽根部と協働して足の甲及び脛をホールドするタング部４０と、を備えている。タング部４０はアウターブーツ２０のシェルに固定されている。
【００２０】
左羽根部２２及び右羽根部２４は、それぞれ、上領域を形成する脛側の上羽根部２６及び下領域を形成するつま先側の下羽根部２７を有している。左羽根部２２は、開口部に面する側縁において複数のＵ字状の紐通しガイド（不図示）を有するとともに、その下端の側縁において下係止端２５を有する。右羽根部２４は、開口部に面する側縁の上端において上係止端２３を有するとともに、その側縁において複数のＵ字状の紐通しガイド（不図示）を有する。Ｕ字状紐通しガイドは、羽根部の内部に取り付けられているために図１では図示されていない。Ｕ字状紐通しガイドは、紐３，５に対する摩擦抵抗が少ない金属、硬質樹脂、セラミックス等から作られている。
【００２１】
タング部４０は、舌形状をしたタング部本体４２と、タング部本体４２の前方位置に取り付けられた前方部材４４とから構成されている。前方部材４４は、タング部本体４２に対して一体的に固定されているが、ベルクロファスナやマジックテープ（登録商標）と呼ばれている面結合手段やホック等のポイント結合手段を設けることによって、その下端部（すなわち、つま先部）がタング部本体４２に対して固定されているとともに、その上部（すなわち、脛側）がタング部本体４２に対して着脱自在に構成することで、タング部本体４２と前方部材４４との間に紐３，５を通すことができる。タング部本体４２は、アウターブーツ２０のシェルと同様に、合成ゴムや合成皮革やナイロンやポリエステル繊維等の柔軟な素材と多少硬めの芯材とから構成されている。また、タング部本体４２の左右の上端部には、取っ手４，６を収納するためのポケットをそれぞれ配設することもできる。さらにまた、タング部本体４２と前方部材４４との間にウレタンゴム等の高反発部材を介装させることによって、ブーツの前後方向の変移時におけるレスポンスの向上を図ることもできる。
【００２２】
前方部材４４は、ポリウレタン、ポリ塩化ビニル、ポリプロピレン、ポリエチレン、ナイロン、ABS、ポリカーボナイト、ポリエステル、共重合体そして他のエンジニアリング熱プラスチックのような半柔軟性のプラスチック素材からなる板状体である。前方部材４４の上部中央が部分的に切り欠かれており、紐ロック３０を露出させるための窓が形成されている。前方部材４４の表側中央であって、上羽根部２６と下羽根部２７との境界部分には、左右一対の鳩目２１が設けられている。一対の鳩目２１は、紐３，５に対する摩擦抵抗が少ない金属、硬質樹脂、セラミックス等から作られている。滑動性に優れた材料からなるリング状鳩目２１を前方部材４４に装着することによって、前方部材４４の厚み方向に延在する挿通穴が形成される。
【００２３】
タング部本体４２は、その表側上部中央において紐ロック３０を備えている。紐ロック３０は、第一の紐３及び第二の紐５をそれぞれロック固定するためのものである。紐ロック３０は、取付穴を有するベース３６と、ベース３６上に配設された左右二つのロック体３７と、から構成されている。図１に示した第一の実施形態では、ロック体３７が左右対称であるように構成されている。左右のロック体３７は、中央部が開放されているとともに側面部が閉じられた大略Ｖ字形状をしており、その上下の内壁面には歯状の滑り止めを備えている。したがって、開放部側から装填した第一の紐３及び第二の紐５を閉止部側に強く引き寄せることによって第一の紐３及び第二の紐５が内壁面の歯状滑り止めと係合することによって、第一の紐３及び第二の紐５をロック固定することができる。
【００２４】
ブーツを締め付けるための第一の紐３及び第二の紐５は、ポリアリレート繊維、高強力ナイロン、難燃ビニロン、メタ系アラミド繊維、ケブラー（登録商標）等のアラミド繊維といった高分子材料の織物や金属等の丈夫な素材から構成されている。
【００２５】
第一の紐３の始端は、上羽根部の上端の上係止端２３に係止されている。右上羽根部２４，２６の上係止端２３に係止された第一の紐３は、開口部を横断しながら左上羽根部２２，２６のＵ字状紐通しガイドに紐通しされる。Ｕ字状紐通しガイドに紐通しされた第一の紐３は、Ｕ字状紐通しガイドでＵターンして、開口部を横断しながら右上羽根部２４，２６のＵ字状紐通しガイドに紐通しされる。第一の紐３は、このような蛇行した紐通しを繰り返したあと、上羽根部２６と下羽根部２７との境界部分に設けられた鳩目２１の左穴に挿通される。鳩目２１の左穴に挿通された第一の紐３は、大略９０度の角度で上向きに方向転換して、タング部本体４２と前方部材４４との間を通って紐通しされる。引き上げられた第一の紐３は、紐ロック３０の左側のロック体３７に装填される。左側のロック体３７に装填された第一の紐３を左側（閉止部側）に強く引き寄せると、ロック体３７の内壁面の歯状滑り止めに係合されてロック固定される。その結果、上羽根部２６の締め付けが行われる。逆に、第一の紐３を右側（開放部側）に強く引き寄せると、ロック体３７によるロック固定が解除される。
【００２６】
第二の紐５の始端は、下羽根部の下端の下係止端２５に係止されている。左下羽根部２２，２７の下係止端２５に係止された第二の紐５は、開口部を横断しながら右下羽根部２４，２７のＵ字状紐通しガイドに紐通しされる。Ｕ字状紐通しガイドに紐通しされた第二の紐５は、Ｕ字状紐通しガイドでＵターンして、開口部を横断しながら左下羽根部２２，２７のＵ字状紐通しガイドに紐通しされる。第二の紐５は、このような蛇行した紐通しを繰り返したあと、上羽根部２６と下羽根部２７との境界部分に設けられた鳩目２１の右穴に挿通される。鳩目２１の右穴に挿通された第二の紐５は、大略９０度の角度で上向きに方向転換して、タング部本体４２と前方部材４４との間を通って紐通しされる。引き上げられた第二の紐３は、紐ロック３０の右側のロック体３７に装填される。右側のロック体３７に装填された第二の紐５を右側（閉止部側）に強く引き寄せると、ロック体３７の内壁面の歯状滑り止めに係合されてロック固定される。その結果、下羽根部２７の締め付けが行われる。逆に、第二の紐５を左側（開放部側）に強く引き寄せると、ロック体３７によるロック固定が解除される。
【００２７】
したがって、上記締め付け構造では、上羽根部２６及び下羽根部２７をそれぞれ締め付けた第一の紐３及び第二の紐５は、境界紐結束部である鳩目２１でまとめたあと、タング部４０の表側上部中央に設けられた紐ロック３０でロック固定される。そして、第一の紐３及び第二の紐５がブーツ本体の上羽根部２６と下羽根部２７に加えてタング部４０も締め付けるという三箇所締め付け構造となっているので、前後左右の締め付け力が足に作用して足全体に適切なフィット感やホールド感を提供することができる。
【００２８】
なお、第一の紐３及び第二の紐５の終端にそれぞれ取っ手４，６を設けることによって、紐３，５の引っ張り操作が容易となる。ロック固定された第一の紐３及び第二の紐５の取っ手４，６がそれぞれ対応する収納ポケットに収納されることによって、使用中の邪魔になることが防止される。
【００２９】
次に、本発明に係る第二実施形態について、図３を参照しながら詳細に説明する。なお、第二実施形態の基本的な構成は、上述した第一実施形態のものと同じであるので、両者の相違点を中心に説明する。
【００３０】
図３に示すように、タング部本体４２の表側上部中央に設けられた紐ロック３０は、第一の紐３及び第二の紐５をロック固定するための左ロック体３７及び右ロック体３７で構成されているが、左ロック体３７及び右ロック体３７においてそれらの開放部及び閉止部が同じ向きであることを特徴としている。
【００３１】
すなわち、左ロック体３７は、右側が開放されているとともに左側が閉じられた大略Ｖ字形状をしており、その上下の内壁面には歯状の滑り止めを備えている。右ロック体３７も、右側が開放されているとともに左側が閉じられた大略Ｖ字形状をしており、その上下の内壁面には歯状の滑り止めを備えている。
【００３２】
開放部側から装填された第一の紐３及び第二の紐５を束ねて、それらを左右いずれか一方の側（図３の場合には左側）の閉止部側に同時に強く引き寄せる。その結果、第一の紐３及び第二の紐５が内壁面の歯状滑り止めと係合することによって、第一の紐３及び第二の紐５がロック固定される。紐の引き寄せ方向が同じであるために片手で楽に引き寄せることができるので、紐締めの操作性が向上する。
【００３３】
なお、左右のロック体３７は、同じ形状のものを用いることがコスト面で好ましいが、必ずしも同じものを用いる必要はない。例えば、閉止部及び開放部が同じ向きを向いている左右二つのロック体３７を一緒にベース上に左右非対称に配設した一枚構成とすることができる。
【００３４】
次に、本発明に係る第三実施形態について、図４を参照しながら詳細に説明する。なお、第三実施形態の基本的な構成は、上述した第一実施形態のものと同じであるので、両者の相違点を中心に説明する。
【００３５】
上羽根部２６及び下羽根部２７をそれぞれ蛇行しながら紐通しされた第一の紐３及び第二の紐５がまとめられる境界紐結束部が、図４に示すような紐ガイド５０によって構成されていることを特徴としている。
【００３６】
すなわち、図４の（Ａ）に示すように、紐ガイド５０は、大略逆三角形をしたベース部の各コーナー部に取付穴５２を備えている。ベース部の上には、コの字状のブリッジ部が形成されていて、このブリッジ部とベース部とに間には挿通穴５４が形成されている。紐ガイド５０は、紐３，５に対する摩擦抵抗が少ない金属、硬質樹脂、セラミックス等から作られている。滑動性に優れた材料からなる紐ガイド５０は、取付ネジ等の取付部材を取付穴５２に装着して、上羽根部２６と下羽根部２７との境界部分に対応するタング部４０の表側の所定位置に直接に取り付けられる。その結果、タング部４０の表側には、タング部４０の厚み直交方向（図４においては上下方向）に延在する挿通穴５４が形成される。
【００３７】
上羽根部２６及び下羽根部２７をそれぞれ蛇行しながら紐通しされた第一の紐３及び第二の紐５は、上記形状を有する境界紐結束部としての紐ガイド５０の挿通穴５４によって、一箇所にまとめられるとともに、大略９０度乃至９０度より大きい角度（例えば１２０度）で上向きに方向転換して、タング部４０に沿って紐通しされる。引き上げられた第一の紐３及び第二の紐５は、紐ロック３０に装填され、紐ロック３０の閉止部側に強く引き寄せることによって、内壁面の歯状滑り止めに係合されてロック固定される。その結果、上羽根部２６及び下羽根部２７の締め付けがそれぞれ行われる。逆に、第一の紐３及び第二の紐６を紐ロック３０の開放部側に強く引き寄せると、ロック固定が解除される。なお、紐ガイド５０のベース部が第一の紐３の太さよりも高く寸法構成されていて、第一の紐３及び第二の紐６が上羽根部２６を蛇行する第一の紐３の上を立体交差するので、紐ガイド５０と紐ロック３０との間に存する第一の紐３及び第二の紐６が第一の紐３と干渉することはない。
【００３８】
本発明に係るブーツの締め付け構造は、実施形態として、スノーボード用のものについて説明したが、タング部を有して、タング部及び左右の羽根部の三箇所を二本の紐で締め付けることのできるタング付き靴物品に適用可能である。例えば、スキー用ブーツ、登山靴、運動靴等のいわゆる紐靴一般に適用可能である。
【図面の簡単な説明】
【００３９】
【図１】本発明の第一実施形態に係るスノーボード用ブーツの正面図である。
【図２】図１に示したスノーボード用ブーツの側面図である。
【図３】本発明の第二実施形態に係るスノーボード用ブーツの正面図である。
【図４】本発明の第三実施形態に係るスノーボード用ブーツの要部を説明する図である。（Ａ）は紐ガイドの正面図である。（Ｂ）は（Ａ）の紐ガイドに紐を通した状態を示す図である。
【符号の説明】
【００４０】
１  スノーボード用ブーツ
３  第一の紐
５  第二の紐
４  取っ手
６  取っ手
２０  アウターブーツ
２１  鳩目（境界紐結束部）
２２  左羽根部
２３  上係止端
２４  右羽根部
２５  下係止端
２６  上羽根部
２７  下羽根部
２９  Ｕ字状紐通しガイド
３０  紐ロック
３２  左紐ロック
３４  右紐ロック
３６  ベース
３７  ロック体
４０  タング部
４２  タング部本体
４４  前方部材
５０  紐ガイド（境界紐結束部）
５２  取付穴
５４  挿通穴
【図１】
2007215845.tif 000003
【図２】
2007215845.tif 000004
【図３】
2007215845.tif 000005
【図４】
2007215845.tif 000006